(57)【特許請求の範囲】
【請求項１】
チャットグループに基づいてサービス操作を実行する方法であって、
前記チャットグループは、少なくとも２人のグループメンバを含み、
前記チャットグループのチャットインターフェースは、グループメンバ選択要求トリガボタンを具備し、
前記方法は：
グループメンバ選択要求を、前記チャットグループに対応するサーバへ送信するステップであって、
前記グループメンバ選択要求トリガボタンへのトリガ命令を受信するステップと、
前記トリガ命令に応答して、前記チャットグループに対応する前記サーバへ前記グループメンバ選択要求を送信するステップと、を備える、前記送信するステップと；
前記チャットグループ内のグループメンバの特定の情報を前記チャットインターフェースに交互に表示するステップであって、前記特定の情報は、画像とテキスト識別子のうちの少なくとも一方を含む、前記交互に表示するステップと；
前記グループメンバ選択要求に応答して、所定のルールに従って前記サーバにより前記チャットグループから判定された少なくとも１人のグループメンバのグループメンバ情報を受信するステップ（１２）と；
前記受信したグループメンバ情報に対応するグループメンバの画像及び／又はテキスト識別子を前記チャットインターフェースに表示するステップと；
前記グループメンバ情報に対応するグループメンバによる所定のサービス操作の実行に応答するステップ、又は、前記グループメンバ情報に対応するグループメンバ以外のグループメンバによる所定のサービス操作の実行に応答するステップと；を備える、
チャットグループに基づいてサービス操作を実行する方法。
【請求項２】
グループメンバ選択要求を、前記チャットグループに対応するサーバへ送信する前記ステップの後に、
前記方法は：
前記サーバによって送信されるインターフェース要素提示命令を受信するステップであって、インターフェース要素は、前記所定のサービス操作に対応する、前記受信するステップと；
前記インターフェース要素提示命令に従って、前記対応するインターフェース要素を提示するステップと；を更に備え、
前記グループメンバ情報に対応するグループメンバによる所定のサービス操作の実行に応答する前記ステップは、具体的に：
前記インターフェース要素に従い、前記グループメンバ情報に対応するグループメンバによる所定のサービス操作の実行に応答するステップ；を備える、
又は、
前記グループメンバ情報に対応するグループメンバ以外のグループメンバによる所定のサービス操作の実行に応答する前記ステップは、具体的に：
前記インターフェース要素に従い、前記グループメンバ情報に対応するグループメンバ以外のグループメンバによる所定のサービス操作の実行に応答するステップ；を備える、
請求項１に記載のサービス操作を実行する方法。
【請求項３】
前記グループメンバ選択要求は、前記所定のサービス操作のサービス識別子を備え、
前記インターフェース要素は、前記サービス識別子に対応しており、前記サーバにより前記サービス識別子に従って判定されたサービス操作のインターフェース要素である、
請求項２に記載のサービス操作を実行する方法。
【請求項４】
前記インターフェース要素は、前記所定のサービス操作の操作入力であり、
前記インターフェース要素に従い、前記グループメンバ情報に対応するグループメンバによる所定のサービス操作の実行に応答する前記ステップは、具体的に：
前記グループメンバ情報に対応するグループメンバからの操作入力に対する選択命令を受信するステップと；
前記選択命令に応答して、前記操作入力に対応する操作を実行するステップと；を備える、
請求項３に記載のサービス操作を実行する方法。
【請求項５】
前記グループメンバ選択要求に応答して、前記チャットグループから少なくとも１人のグループメンバを、前記サーバにより所定のルールに従って判定するステップは、具体的に：
前記グループメンバ選択要求に応答して、前記チャットグループから少なくとも１人のグループメンバを、前記サーバによりランダムに判定するステップを備える、
請求項１乃至４のいずれか１項に記載のサービス操作を実行する方法。
【請求項６】
前記チャットグループの前記チャットインターフェースは、前記グループメンバ選択要求トリガボタンを具備し、
グループメンバ選択要求を、前記チャットグループに対応するサーバへ送信する前記ステップの後で、且つ、前記受信したグループメンバ情報に対応するグループメンバの画像及び／又はテキスト識別子を前記チャットインターフェースに表示する前記ステップの前に、
前記方法は：
前記グループメンバ選択要求トリガボタンが所定のアニメーション効果を奏するように、前記グループメンバ選択要求トリガボタンを所定の表示方式で表示するステップを更に備える、
請求項１に記載のサービス操作を実行する方法。
【請求項７】
前記グループメンバがグループメンバ選択要求を送信する必要がない場合、前記グループメンバ選択要求トリガボタンは隠され、前記チャットインターフェースのディスプレイ領域を占有することなく、ボタンオブジェクト提示エントリが、前記チャットインターフェースに提示される、
請求項１に記載のサービス操作を実行する方法。
【請求項８】
前記グループメンバが前記ボタンオブジェクト提示エントリをクリックすると、ソーシャルソフトウェアがトリガされ、前記グループメンバ選択要求トリガボタンを含む複数のボタンを提示する、
請求項７に記載のサービス操作を実行する方法。
【請求項９】
前記方法は、同一のデバイス又は複数の異なるデバイスによって実行される、
請求項１に記載のサービス操作を実行する方法。
【請求項１０】
チャットグループに基づいてサービス操作を実行する方法であって、
前記チャットグループは、少なくとも２人のグループメンバを含み、
前記チャットグループのチャットインターフェースは、グループメンバ選択要求トリガボタンを具備し、
前記方法は：
前記チャットグループにより送信されたグループメンバ選択要求を受信するステップであって、前記グループメンバ選択要求は、前記チャットグループが、前記グループメンバ選択要求トリガボタンへのトリガ命令を受信することに応答して送信される、前記受信するステップと；
前記グループメンバ選択要求に応答して、所定のルールに従って、前記チャットグループから少なくとも１人のグループメンバを判定するステップと；
前記チャットグループが、受信したグループメンバ情報に対応するグループメンバの画像及び／又はテキスト識別子を前記チャットインターフェースに表示して、前記判定されたグループメンバ、又は、前記判定されたグループメンバ以外のグループメンバに前記チャットグループにおいて実行される所定のサービス操作を割り当てることができるようにするために、前記判定されたグループメンバのグループメンバ情報を前記チャットグループへ送信するステップと；を備える、
チャットグループに基づいてサービス操作を実行する方法。
【請求項１１】
前記グループメンバ選択要求は、前記所定のサービス操作のサービス識別子を含み、
前記方法は：
前記チャットグループにより送信された前記グループメンバ選択要求を受信した後に、前記グループメンバ選択要求内に含まれた所定のサービス操作のサービス識別子に従ってインターフェース要素提示命令を生成するステップと；
前記判定されたグループメンバ、又は、前記判定されたグループメンバ以外のグループメンバが、インターフェース要素に従って前記所定のサービス操作を実行できるようにするために、前記インターフェース要素提示命令を前記チャットグループへ送信するステップと；を更に備える、
請求項１０に記載のサービス操作を実行する方法。
【請求項１２】
前記グループメンバ選択要求に応答して、所定のルールに従って、前記チャットグループから少なくとも１人のグループメンバを判定する前記ステップは、具体的に：
前記グループメンバ選択要求に応答して、前記チャットグループから少なくとも１人のグループメンバをランダムに判定するステップを備える、
請求項１０に記載のサービス操作を実行する方法。
【請求項１３】
チャットグループに基づいてサービス操作を実行する装置であって、
前記チャットグループは、少なくとも２人のグループメンバを含み、
前記装置は：
請求項１乃至１２のいずれか１項に記載の方法を実行するように構成された、複数のユニットを備える、
チャットグループに基づいてサービス操作を実行する装置。
【発明の詳細な説明】
【技術分野】
【０００１】
本発明は、インターネット技術の分野に関し、特に、チャットグループベースでのサービスオペレーションを実行する方法及び装置、並びに、グループメンバ情報を取得する方法及び装置に関する。
【背景技術】
【０００２】
インターネットの発展と共に、ますます多くのソーシャルソフトウェアが登場している。一般的なソーシャルソフトウェアには、ＱＱ、Ｗｅｃｈａｔ、Ｗｅｉｂｏ、Ｌａｉｗａｎｇ等がある。ソーシャルソフトウェアを使うと、２人のユーザ間での２者間会話、及び、３人以上のユーザ間での複数者間会話を行える。複数者間会話は一般に「グループチャット」と呼ばれる。グループチャットでは、同じ会話に参加している１組の複数ユーザが「チャットグループ」を形成する。チャットグループに含まれるユーザは、そのチャットグループの「グループメンバ」である。グループメンバ間のチャット内容は、ソーシャルソフトウェアのチャットインターフェースに提示される。
【０００３】
現在、チャットグループが確立された後のチャット中に、チャットグループ内の特定のグループメンバが指定のサービス操作（例えば、電子紅包を発行する、電子注文への決済操作を実行する等）を行う必要がある場合には、まず、特定のグループメンバをチャットグループから選択し、次に、チャットグループ内のグループメンバ達がその特定のグループメンバの情報を知得した後に、その当該グループメンバが指定のサービス操作を実行する。
【０００４】
従来技術によれば、１人のグループメンバが指定のサービス操作を実行できるようにするために、チャットグループ内のグループメンバ達がチャットインターフェースに表示されるテキスト情報を編集し、これを送信することにより、当該グループメンバを選択する処理と、当該グループメンバの情報を取得する処理とを実施できるようにしている。明らかに、このようなグループメンバ情報取得方式及びサービス操作方式には効率が低いという問題がある。
【発明の概要】
【０００５】
本願の実施の形態は、従来技術のサービス操作方式における効率の低さの問題を解決するために、チャットグループに基づいてサービス操作を実行する方法及び装置を提供する。本願の実施の形態は、更に、従来技術のグループメンバ情報の取得における効率の低さの問題を解決するために、チャットグループのグループメンバ情報を取得する方法及び装置を提供する。
本願の実施の形態は、更に、従来技術のグループメンバ情報の取得における効率の低さの問題を解決するために、グループメンバ情報を送信する方法及び装置を提供する。
【０００６】
本願の実施の形態は以下の技術的解決策を採用する。
チャットグループに基づいてサービス操作を実行する方法であって、前記チャットグループは少なくとも２人のグループメンバを含み、前記方法は：
グループメンバ選択要求を、前記チャットグループに対応するサーバへ送信するステップと；
前記グループメンバ選択要求に応答して、所定のルールに従って前記サーバにより前記チャットグループから判定された少なくとも１人のグループメンバのグループメンバ情報を受信するステップと；
前記グループメンバ情報に対応する前記グループメンバによる所定のサービス操作の実行に応答するステップ、又は、前記グループメンバ情報に対応する前記グループメンバ以外のグループメンバによる前記所定のサービス操作の実行に応答するステップと；を備える。
【０００７】
チャットグループに基づいてサービス操作を実行する方法であって、前記チャットグループは少なくとも２人のグループメンバを含み、前記方法は：
前記チャットグループにより送信されたグループメンバ選択要求を受信するステップと；
前記グループメンバ選択要求に応答し、所定のルールに従って前記チャットグループから少なくとも１人のグループメンバを判定するステップと；
前記判定されたグループメンバ、又は、前記判定されたグループメンバ以外のグループメンバが所定のサービス操作を実行できるようにするために、前記判定されたグループメンバのグループメンバ情報を前記チャットグループへ送信するステップと；を備える。
【０００８】
少なくとも２人グループメンバを含むチャットグループのグループメンバ情報を取得する方法であって、前記方法は：
グループメンバ選択要求を前記チャットグループに対応するサーバへ送信するステップと；
前記グループメンバ選択要求に応答し、所定のルールに従って前記チャットグループから前記サーバにより判定された少なくとも１人のグループメンバのグループメンバ情報を受信するステップと；を備える。
【０００９】
グループメンバ情報を送信する方法は：
グループメンバ選択要求を受信するステップと；
前記グループメンバ選択要求に応答して、チャットグループのグループメンバ情報を取得するステップと；
前記取得したグループメンバ情報から少なくとも１つのグループメンバ情報を選択するステップと；
前記選択したグループメンバ情報を前記チャットグループ内の少なくとも１人のグループメンバへ送信するステップと；を備える。
【００１０】
少なくとも２人のグループメンバを含むチャットグループに基づいてサービス操作を実行する装置であって、前記装置は：
グループメンバ選択要求を前記チャットグループに対応するサーバへ送信するように構成された要求送信部と；
前記グループメンバ選択要求に応答し、所定のルールに従って、前記サーバにより前記チャットグループから判定された少なくとも１人のグループメンバのグループメンバ情報を受信するように構成されたグループメンバ情報受信部と；
前記グループメンバ情報に対応する前記グループメンバによる所定のサービス操作の実行に応答するように構成された、又は、前記グループメンバ情報に対応する前記グループメンバ以外のグループメンバによる所定のサービス操作の実行に応答するように構成されたサービス操作部と；を備える。
【００１１】
少なくとも２人のグループメンバを含むチャットグループに基づいてサービス操作を実行する装置であって、前記装置は：
前記チャットグループにより送信されたグループメンバ選択要求を受信するように構成された要求受信部と；
前記グループメンバ選択要求に応答し、所定のルールに従って、前記チャットグループから少なくとも１人のグループメンバを判定するように構成されたグループメンバ判定部と；
前記判定されたグループメンバ、又は、前記判定されたグループメンバ以外のグループメンバが所定のサービス操作を実行できるようにするために、前記判定されたグループメンバのグループメンバ情報を前記チャットグループへ送信するように構成されたグループメンバ情報送信部と；を備える。
【００１２】
少なくとも２人のグループメンバを含むチャットグループのグループメンバ情報を取得する装置であって、前記装置は：
グループメンバ選択要求を、前記チャットグループに対応するサーバへ送信するように構成された要求送信部と；
前記グループメンバ選択要求に応答し、所定のルールに従って、前記サーバにより前記チャットグループから判定された少なくとも１人のグループメンバのグループメンバ情報を受信するように構成されたグループメンバ情報受信部と；を備える。
【００１３】
グループメンバ情報を送信する装置であって、前記装置は：
グループメンバ選択要求を受信するように構成された要求受信部と；
前記要求受信部により受信された前記グループメンバ選択要求に応答して、チャットグループのグループメンバ情報を取得するように構成されたグループメンバ情報取得部と；
前記グループメンバ情報取得部により取得された前記グループメンバ情報から少なくとも１つのグループメンバ情報を選択するように構成されたグループメンバ情報選択部と；
前記グループメンバ情報選択部により選択された前記グループメンバ情報を、前記チャットグループ内の少なくとも１人のグループメンバへ送信するように構成されたグループメンバ情報送信部と；を備える。
【００１４】
上で述べた本願の実施の形態で採用される少なくとも１つの技術的解決策は、以下の有益な効果を奏することができる。
グループメンバの端末は、チャットグループから判定された１人のグループメンバの情報を取得できる一方で、チャットグループ内のグループメンバ達はチャットインターフェースに表示させることができる情報を編集し、これを送信する必要がなく、これにより、グループメンバ情報に対応するグループメンバによる所定のサービス操作の実行に応答する、又は、グループメンバ情報に対応するグループメンバ以外のグループメンバによる所定のサービス操作の実行に応答する。したがって、サービス操作の実行効率が向上する。
【図面の簡単な説明】
【００１５】
ここで説明する添付図面は、本願の更なる理解のために用いられ、本願の一部を構成する。本願の例示の実施の形態及びその説明は、単に本願を例証するために用いられているに過ぎず、本願に対してどのような不適切な限定も構成することはない。
【００１６】
【図１ａ】本願の実施の形態による、チャットグループに基づいてサービス操作を実行する方法の実施のフローチャートの概略である。
【図１ｂ】本願の実施の形態による、チャットインターフェース上のボタンオブジェクト提示エントリを示す略図である。
【図１ｃ】本願の実施の形態による、チャットインターフェース上の様々なボタンを示す略図である。
【図１ｄ】本願の実施の形態による、チャットインターフェースに表示されている、受信されたグループメンバ情報に対応するグループメンバの画像とニックネームとを示す略図である。
【図２】本願の実施の形態による、チャットグループに基づいてサービス操作を実行する方法の実施のフローチャートの概略である。
【図３】本願の実施の形態による、グループメンバ情報を取得する方法の実施のフローチャートの概略である。
【図４】本願の実施の形態による、グループメンバ情報を送信する方法の実施のフローチャートの概略である。
【図５】本願の実施の形態による、チャットグループに基づいてサービス操作を実行する装置の特定の概略構造図である。
【図６】本願の実施の形態による、チャットグループに基づいてサービス操作を実行する装置の特定の概略構造図である。
【図７】本願の実施の形態による、グループメンバ情報を送信する装置の特定の概略構造図である。
【発明を実施するための形態】
【００１７】
本願の目的、技術的解決策、及び利点をより明確にするために、本願の特定の実施の形態及び対応する図面に関連して本願の技術的解決策を、以下、明確且つ完全に説明する。ここで説明する実施の形態は、本願の実施の形態の全てではなく、そのいくつかに過ぎない。当業者が本願の実施の形態に基づいて、創作努力をすることなく得たその他の実施の形態は全て本願の保護範囲に属する。
これより、本願の実施の形態で提供される技術的解決策を、図面を参照しながら詳細に説明する。
【００１８】
実施の形態１
従来技術におけるサービス操作方式の効率の低さの問題を解決するために、本願の実施の形態１は、チャットグループに基づいてサービス操作を実行する方法を提供する。この方法は、限定はされないが、モバイルフォン、タブレットコンピュータ、パーソナルコンピュータ（ＰＣ）、スマートＴＶ、及び、ソーシャルソフトウェアを実行できる任意の端末デバイス、のうちの少なくとも１つによって実行してもよい。加えて、この方法を、ソーシャルソフトウェアによって実行してもよい。
【００１９】
説明を容易にするために、以後、ソーシャルソフトウェアにより実行する方法を実施例として本方法の実施を紹介する。ソーシャルソフトウェアにより実行される本方法の説明は単なる例示に過ぎず、方法の限定として解釈されるべきではない。本願のこの実施の形態におけるソーシャルソフトウェアは、グループメンバのチャット（テキストチャット、音声チャット、ビデオチャットであってよい）をサポートする機能に加え、いくつかの他の機能を備えていてもよい。例えば、ソーシャルソフトウェアによりサポートされる機能は、限定はされないが、以下のうちの少なくとも１つの機能であってよい。すなわち、例えば送金、電子紅包の生成、水道料金・電気料金・ガス料金・他の生活設備関係の支払いなどの、グループメンバの支払機関（銀行等）の電子アカウントへの操作機能；電子ショッピング機能；ＱＲコード（登録商標）読み取り機能；電子アカウントに従ったＱＲコード（登録商標）の生成機能；株取引条件のクエリ（問合せ）機能；ゲーム機能；ソーシャル情報提示機能（例えば、Ｍｏｍｅｎｔｓにリリースされた情報の提示、又は、ブログ内容の提示）等。
【００２０】
具体的には、実施の形態１によるチャットグループに基づいてサービス操作を実行する方法の実施のフローチャートの概略は図１ａに示すとおりであり、この方法は以下の主要なステップを含む。
【００２１】
ステップ１１：グループメンバ選択要求を、チャットグループに対応するサーバへ送信する。
チャットグループに対応するサーバは、ソーシャルソフトウェアのバックエンドサーバであっても、グループメンバ選択要求に応答し、対応する操作を実行できる任意のサーバ又はデバイスであってもよい。このデバイスは、例えばインテリジェントルータ等であってもよい。
ここで述べる「対応する操作」には少なくとも次が含まれる。すなわち、グループメンバ選択要求に応答して、所定のルールに従って少なくとも１人のグループメンバをチャットグループから判定し、更に、判定したグループメンバのグループメンバ情報を入手する。
グループメンバ情報は、限定はされないが、当該グループメンバの識別子であってよく、例えば、当該グループメンバの本名、ニックネーム、ＩＤカード番号、アカウント、又は、チャットグループ内での当該グループメンバの一意の番号であってよい。代替として、情報は、当該グループメンバの画像情報であってよく、例えば、チャットグループ内で当該グループメンバが使用しているアバタ画像等であってもよい。
【００２２】
本願のこの実施の形態において、サーバは、チャットグループのグループメンバ情報を格納するためのデータベースからチャットグループのグループメンバ情報を取得できる。一般に、サーバは、当該グループメンバが属するチャットグループのチャットグループ識別子を、データベースへのクエリの基準として用いることができる。クエリ基準として用いられるチャットグループ識別子は、ソーシャルソフトウェアによってサーバへ送信できる。例えば、ソーシャルソフトウェアは、この識別子をグループメンバ選択要求又は他の要求に追加し、この要求をサーバへ送信できる。
【００２３】
ソーシャルソフトウェアによるチャットグループ識別子の取得の実現については、一般に、サーバが種々のチャットグループ識別子を種々のチャットグループへ割り当て、チャットグループ識別子をグループメンバの端末へローカルに格納できるため、ソーシャルソフトウェアはグループメンバの端末からチャットグループ識別子をローカルに取得できるようになる。例えば、グループメンバが入力したグループメンバ選択要求送信命令を受信すると、ソーシャルソフトウェアは、当該グループメンバの現在のチャットに対応するチャットグループ識別子を判定できる。
【００２４】
グループメンバ選択要求を開始するべくソーシャルソフトウェアをトリガする当該グループメンバが、現在、１つのチャットグループだけに参加している場合、サーバは、当該グループメンバが属するチャットグループを、当該グループメンバの識別子に従って直接判定し、チャットグループのグループメンバ情報を取得できることは明らかである。ソーシャルソフトウェアはチャットグループ識別子をサーバに提供する必要はない。
【００２５】
本願のこの実施の形態では、チャットグループのグループメンバ情報の取得後に、サーバは判定ルールに従ってグループメンバ情報を判定できる。この判定ルールは、限定はされないが、次のうちの少なくとも１つを含んでよい。すなわち、少なくとも１つのグループメンバ情報をランダムに判定すること、チャットグループ内のグループメンバのアクティブ度の降順（又は昇順）に従って、少なくとも１つのグループメンバ情報を連続的に判定すること、グループメンバ達がチャットグループに参加する初期から後期の（又は後期から初期の）時間点に従って、少なくとも１つのグループメンバ情報を連続的に判定すること等。
【００２６】
当該グループメンバが、グループメンバ選択要求をサーバへ送信するべくソーシャルソフトウェアをトリガし易くするために、一の実施では、ステップ１１を実行する前に「グループメンバ選択要求トリガボタン」をチャットインターフェースに提示してよい。
選択要求トリガボタンに基づき、ステップ１１の特定の実施は以下を含んでよい。すなわち、グループメンバ選択要求トリガボタンへのトリガ命令を受信すること、及び、グループメンバ選択要求トリガボタンへのトリガ命令に応答して、グループメンバ選択要求をサーバへ送信すること。
実用上、グループメンバ選択要求トリガボタンの特定の形態は、例えば、規則的な形状であっても、設定された画像であってもよい。
【００２７】
当該グループメンバがグループメンバ選択要求を送信する必要がないときは、ボタンがチャットインターフェースのディスプレイ領域を占有しないよう、グループメンバ選択要求トリガボタンを隠したり、ボタンオブジェクト提示エントリをチャットインターフェースに提示したりすることができる。図１ｂは、チャットインターフェースにボタンオブジェクト提示エントリを提示した状態を示す概略図である。
当該グループメンバがボタンオブジェクト提示エントリをクリックすると、ソーシャルソフトウェアがトリガされ、グループメンバ選択要求トリガボタンを含む様々なボタンを提示する。図１ｃは、当該グループメンバがボタンオブジェクト提示エントリをクリックしたことをソーシャルソフトウェアが検出した後に、チャットインターフェースに示されるいくつかの画像と、選択要求トリガボタンを含む様々なボタンとの略図である。
本願のこの実施の形態では、ボタンオブジェクト提示エントリをクリックすることで、当該グループメンバはソーシャルソフトウェアもトリガしてグループメンバ選択要求トリガボタンのみを提示させることができる。
【００２８】
ステップ１２：サーバが送信したグループメンバ情報を受信する。
上で述べたように、サーバが送信したグループメンバ情報は、サーバが、グループメンバ選択要求に応答し、所定のルールに従って、チャットグループのグループメンバの中から判定した当該グループメンバの情報である。
【００２９】
一の実施では、どのグループメンバがグループメンバ情報に対応しているのかをグループメンバ達が直感的に知得できるようにするために、サーバが送信したグループメンバ情報を受信した後に、受信したグループメンバ情報に対応するグループメンバの画像をチャットインターフェースに表示することができる。例えば、受信したグループメンバ情報が１人のグループメンバの識別子である場合には、ソーシャルソフトウェアは、受信した当該グループメンバの識別子にグループメンバの識別子とグループメンバの画像との間のマッピング関係に従ってマップされている当該グループメンバの画像を取得し、取得した当該グループメンバの画像をチャットインターフェースに表示できる。別の実施例では、受信されたグループメンバ情報が１人のグループメンバの画像情報である場合に、対応するグループメンバの画像を、グループメンバ情報に従ってチャットインターフェースに直接表示できる。
一般に、ここで述べている１人のグループメンバの画像は、チャットグループ内の当該グループメンバが使用するアバタ画像を指してもよい。
【００３０】
本願のこの実施の形態では、１人のグループメンバの画像を表示しながら、当該グループメンバのいくつかのテキスト識別子も表示できる。識別子は、限定されないが、当該グループメンバの本名、当該グループメンバのニックネーム、チャットグループ内での当該グループメンバの一意の番号等であってよい。
【００３１】
本願の実施の形態では、受信されたグループメンバ情報に対応する１人のグループメンバの画像及びニックネームをチャットインターフェースに表示する概略は図１ｄに示すとおりである。
【００３２】
本願の実施の形態では、一の実施において、サーバにより送信されたグループメンバ情報を受信した後に、当該グループメンバの画像ではなく、当該グループメンバのテキスト識別子をチャットインターフェースに表示できる。
グループメンバ選択要求がサーバへ送信された後に、サーバが「チャットグループから１人のユーザを判定している」状態にあることをユーザが直感的に感知できるようにするために、一の実施において、ソーシャルソフトウェアはステップ１１の後で且つステップ１２の前に次のステップを実行できることに留意されたい。グループメンバ選択工程が実行中であることを示すために、チャットインターフェースに特定の情報を交互に表示する。この特定の情報は、具体的には、グループ内のグループメンバ達、又は、いくつかの特定の画像であってよい。例えば、表情変更工程等のようなものである。具体的には、次のステップを実行できる。すなわち、チャットインターフェースにチャットグループ内のグループメンバ達の特定の情報を交互に表示する。この特定の情報は、画像とテキスト識別子のうちの少なくとも一方を含む。
【００３３】
代替としては、一の実施において、チャットグループのチャットインターフェースがグループメンバ選択要求トリガボタンと共に提供されている場合、ソーシャルソフトウェアはステップ１１の後で且つステップ１２の前に以下のステップを実行できる。すなわち、グループメンバ選択要求トリガボタンが所定のアニメーション効果を奏するように、グループメンバ選択要求トリガボタンを所定の表示方式で表示する。
例えば、アニメーション効果は、図１ｃに示すようにグルーブメンバ選択要求トリガボタン上の３つの小さなアバタが変化したり、３つの小さなアバタが回転したりするものであってよい。
【００３４】
本願のこの実施の形態では、サーバにより送信されたグループメンバ情報が受信されたら、チャットグループ内のユーザの特定の情報の交互の表示を停止できる。次に、受信されたグループメンバ情報に対応する当該グループメンバの特定の情報を表示する。
例えば、グループメンバ選択要求を送信した後に、チャットインターフェースの特定の位置にて、又、交互に表示する方法「スクローリングディスプレイ」を用いることで、ソーシャルソフトウェアはチャットグループのグループメンバの画像を、図１ｄに示すように、「受信したグループメンバ情報に対応するグループメンバの画像」が位置している領域内に交互に表示し、同時に、チャットグループのユーザのニックネームを、図１ｄに示すように、「受信したグループメンバ情報に対応するグループメンバのニックネーム」が位置する領域内に交互に表示できる。サーバにより送信されたグループメンバ「スノーホワイト（白雪姫）」の情報が受信されたら、チャットグループのユーザの特定の情報の交互の表示を停止できる。次に、「スノーホワイト」の特定の情報を表示する。
【００３５】
本願のこの実施の形態で提供される上述のステップ１１乃至ステップ１２により、グループメンバ判定命令がサーバへ送信されさえすれば、グループメンバ情報を判定し、更にグループメンバ情報をグループメンバの端末へ送信するようにサーバをトリガすることができる。これにより、チャットグループのグループメンバ達がチャットインターフェースに表示されるテキスト情報を編集し、これを送信しなくても、グループメンバの端末が、チャットグループのグループメンバ達の情報から判定したグループメンバ情報を取得できるようになる。そのため、グループメンバ情報を取得する効率が向上する。
【００３６】
加えて、ソーシャルソフトウェアは、サーバが送信したグループメンバ情報に対応するグループメンバの画像とニックネームを表示することで、チャットグループ内のグループメンバ達が、判定されたグループメンバ情報に対応するグループメンバを直観的且つ明確に知得できるようにする。つまり、本願のこの実施の形態で提供する先の方法は、効率的に、判定されたグループメンバ情報についてグループメンバ達が一様に認識できるようにする。そのため、判定されたグループメンバのグループメンバ情報を確認するために、グループメンバ達がチャットインターフェース内でテキスト情報を編集し、これを発行しなければならない従来技術に比べて、本願のこの実施の形態で提供される解決策は、グループメンバ達が使用しているグループメンバの端末のリソースの処理を節約しつつ、グループメンバ達が一様に確認できる。
【００３７】
先のグループメンバ判定方式を用いて、通常、チャットグループからグループメンバを迅速に判定し、例えば、或るトピックについて話し合っている最中にホストを迅速に選択し、グループ内でゲームをしている間にゲームを開始した人物を迅速に判定することができる。しかし、場合によっては、チャットグループから１人のグループメンバが選択された後に、選択されたグループメンバ又は選択されたグループメンバ以外のグループメンバに何らかの所定のサービス操作のような特定のタスクを割り当てることも望ましい。
【００３８】
例えば、このタスクは以下の操作のうちの少なくとも１つであってよい。すなわち、電子紅包をチャットグループのグループメンバ達へ送信する；電子注文を決済する；サーバから返答を求められた質問に対して、テキスト情報を入力することによって返答し、これを画像又はテキスト形式で提示する（ゲーム「Truth or Dare（トゥルースオアデア、真実か兆戦か）」で遊ぶときと同様）等。
【００３９】
チャットグループ内の少なくとも１人のグループメンバが、サーバにより判定されたグループメンバ情報に従って所定のサービス操作を実行し易くなるように、本願のこの実施の形態で提供する方法は、図１に示すように以下のステップを更に含んでよい。
【００４０】
ステップ１３：グループメンバ情報に対応するグループメンバによる所定のサービス操作の実行に応答する、又は、グループメンバ情報に対応するグループメンバ以外の１人のグループメンバによる所定のサービス操作に応答する。
具体的には、サーバが判定したグループメンバ情報に対応するグループメンバによって所定のサービス操作が実行された場合、これに対応して、当該グループメンバが使用しているソーシャルソフトウェアで図１に示す方法を実行できる。グループメンバ情報に対応するグループメンバ以外のチャットグループ内の１人のグループメンバによって所定のサービス操作が実行された場合、これに対応し、別のメンバが使用するソーシャルソフトウェアで図１に示す方法を実行できる。
ここで述べる所定のサービス操作とは、限定はされないが、以下の操作のうちの少なくとも１つであってよい。すなわち、チャットグループ内のグループメンバ達に電子紅包を発行する、及び、電子注文を決済する等。
【００４１】
本願のこの実施の形態では、グループメンバ判定命令をチャットグループに対応するサーバへ送信した後に、ソーシャルソフトウェアが所定のサービス操作を実行し易くするために、ソーシャルソフトウェアが、サーバから送信されたインターフェース要素提示命令を受信し、このインターフェース要素提示命令に従って対応するインターフェース要素を提示できる。
提示されたインターフェース要素に基づき、ソーシャルソフトウェアは、サーバが判定したグループメンバ情報に対応するグループメンバによる所定のサービス操作の実行に応答する。これは具体的には、サーバが判定したグループメンバ情報に対応するグループメンバがインターフェース要素に従って所定のサービス操作を実行することに応答することを含んでよい。ソーシャルソフトウェアが、グループメンバ情報に対応するグループメンバ以外の１人のグループメンバによる所定のサービス操作の実行に応答することは、具体的に、サーバが判定したグループメンバ情報に対応するグループメンバ以外のグループメンバがインターフェース要素に従って所定のサービス操作を実行することに応答することを含む。
【００４２】
ここで述べるインターフェース要素は、先に述べた所定のサービス操作に限定される。インターフェース要素は、限定はされないが、操作入力とテキスト入力フィールドのうちの少なくとも一方であってよい。本願のこの実施の形態では、所定のサービス操作は、チャットグループのグループメンバ達に対する電子紅包の発行、電子注文決済等であってよい。そのため、操作入力は、電子注文決済操作入力と電子紅包生成操作入力のうちの少なくとも一方であってよい。
【００４３】
ソーシャルソフトウェアが操作入力を提示し後、そのソーシャルソフトウェアを使っているグループメンバは、提示された操作入力の中から選択できる。操作入力の選択命令を受信すると、ソーシャルソフトウェアはその選択命令に応答することができる。特定の応答方式は、ソーシャルソフトウェアが、選択された操作入力に対応する操作を実行することを含む。そのため、上で述べた「サーバにより判定されたグループメンバ情報に対応するグループメンバがインターフェース要素に従って所定のサービス操作を実行することに応答する」ステップは、サーバにより判定されたグループメンバ情報に対応するグループメンバから操作入力の選択命令を受信すること、及び、選択命令に応答して操作入力に対応する操作を実行することを含んでよい。
【００４４】
具体的に、ソーシャルソフトウェアが「電子注文の決済操作入力」の選択命令を受信することを例に挙げる。命令に応答し、ソーシャルソフトウェアは電子注文を含む決済要求を決済サーバへ送信でき、これにより、電子注文に従って当該グループメンバの支払機関の電子口座から引き落とし操作を実行するように決済サーバをトリガすることができる。電子注文は、チャットグループの１人のグループメンバが商店サーバに生成を要求する電子注文であってよく、又、チャットグループ内で共有されることを理解すべきである。電子注文をチャットグループ内で共有することにより、チャットグループのグループメンバ全員が使用しているグループメンバ達のそれぞれの端末がこの電子注文を取得できる。本願のこの実施の形態では、決済要求が送信されると、グループメンバが、ソーシャルソフトウェアのプロンプトに従って、チャットグループ内で共有される電子注文の中から電子注文を選択し、選択された電子注文を決済要求に含める電子注文として使用できる。代替として、ソーシャルソフトウェアが、チャットグループ内の共有された電子注文の中から電子注文を自動的に選択し、選択された電子注文を決済要求に含める電子注文として使用することもできる。具体的には、例えば、ソーシャルソフトウェアは最近共有された未払いの電子注文を選択することができる。
【００４５】
別の実施例では、ソーシャルソフトウェアが「電子紅包の生成操作入力」の選択命令を受信することを例に挙げる。命令に応答し、ソーシャルソフトウェアは電子紅包生成要求をサーバ（電子紅包サーバ等）へ送信して、電子紅包生成要求に従って電子紅包を生成し、電子紅包をソーシャルソフトウェアへ送信するようにサーバをトリガできる。ソーシャルソフトウェアは、電子紅包を受信すると、これをチャットグループのチャットインターフェースへ送信して共有させ、チャットグループ内の１人のグループメンバがその電子紅包の全額又は幾らかを取得できるようにする。ソーシャルソフトウェアが、生成された電子紅包を入手するためのサーバへの電子紅包生成要求を送信する工程は成熟した既存の技術であるので、ここではその詳細について再び述べない。
【００４６】
ここでも、１人のグループメンバから送信された「電子紅包の生成操作入力」の選択命令をソーシャルソフトウェアが受信することを例に挙げる。この命令に応答し、ソーシャルソフトウェアが実行する対応操作は、更に以下を含んでよい。すなわち、電子紅包生成要求をサーバ（電子紅包サーバ等）へ送信することで、電子紅包生成要求に従って少なくとも１つの電子紅包を生成し、生成された電子紅包をチャットグループ内の別のグループメンバが使用するグループメンバの端末へ直接送信するようにサーバをトリガすること。
【００４７】
本願のこの実施の形態では、サーバにより送信されたインターフェース要素提示命令に応答して、ソーシャルソフトウェアは、操作入力に加え、テキスト情報、画像、ビデオのようなインターフェース要素を更に提示してもよい。
【００４８】
ソーシャルソフトウェアが提示するインターフェース要素は、このインターフェース要素提示命令に含まれるインターフェース要素情報に従って判定されてもよい。一の実施において、インターフェース要素情報はインターフェース要素（例えば、インターフェース要素のＨＴＭＬコード）を形成しているデータであってよく、これにより、ソーシャルソフトウェアはデータに従ってインターフェース要素を直接生成し、インターフェース要素を表示できる。別の実施において、インターフェース要素情報は、ソーシャルソフトウェアにローカルに格納されているインターフェース要素にマッピングされたインターフェース要素識別子であってよく、これにより、ソーシャルソフトウェアがこの識別子に従って対応するインターフェース要素を取得し、インターフェース要素を表示できるようになる。
【００４９】
一の実施において、上で説明したグループメンバ選択要求は所定のサービス操作のサービス識別子を含むことができる。所定のサービス操作のサービス識別子、及び、インターフェース要素情報と所定のサービス操作のサービス識別子との間の予め設定されたマッピング関係に基づいて、サーバは、グループメンバ選択要求に含まれている所定のサービス操作のサービス識別子にマッピングされたインターフェース要素情報を入手できる。更に、サーバは、入手したインターフェース要素情報に従って、インターフェース要素情報を含むインターフェース要素提示命令を生成できる。例えば、所定のサービス操作のサービス識別子が「トリッキーゲームサービス」の識別子である場合には、所定のサービス操作のサービス識別子にマッピングされているインターフェース要素情報は、トリッキーゲームのダウンロードアドレスに関する情報であってよい。
【００５０】
一の実施において、グループメンバ選択要求が送信される前に、当該グループメンバは、選択可能な所定のサービス操作のサービス識別子の中から、グループメンバ選択要求に含まれる所定のサービス操作のサービス識別子をソーシャルソフトウェアのプロンプトに従って選択できる。
【００５１】
本願のこの実施の形態で提供される先の解決策は、１人のグループメンバが、サーバにより判定されたグループメンバ情報に従って、所定のサービス操作を便宜的に実行できるようにする目的を達成することができる。実際の需要に従うと、この解決策により、チャットグループ内のグループメンバ達が「Truth or Dare」、「紅包を送る『幸運な男』を選ぶ（choose a 'lucky guy' to send a red envelope）」、「電子注文の支払いをする『幸運な男』を選ぶ（choose a 'lucky guy' to pay for the electronic order）」のような娯楽アクティビティを便宜的に実施できるようになるため、グループメンバ達の経験を用いてソーシャルソフトウェアを大幅に改善することができる。
【００５２】
本願の実施の形態１の方法のステップを実行する複数の実体は同一であっても異なっていてもよい。例えば、ステップ１１乃至ステップ１３を同一のデバイスで実行してもよく、ステップ１１乃至ステップ１３を異なるデバイスで実行してもよい。
【００５３】
実施の形態２
従来技術におけるサービス操作方式の効率の低さの問題を解決するために、本願の実施の形態２は、チャットグループに基づいてサービス操作を実行する方法を提供する。この方法は、限定はされないが、チャットグループのサーバによって、又は、この方法を実施できる任意のデバイス（例えば、スマートＴＶ、ルータ等のうちの少なくとも１つ）によって実行できる。
【００５４】
説明を容易にするために、以後、チャットグループのサーバによって実行されるこの方法を例にとり、この方法の実施を紹介する。チャットグループのサーバによって実行されるこの方法は例示の説明に過ぎず、この方法の限定と解釈されるべきでないことは言うまでもない。
具体的に、この方法の実施のフローチャートの概略は図２に示すとおりであり、以下のステップを含む。
【００５５】
ステップ２１：チャットグループにより送信されたグループメンバ選択要求を受信する。
グループメンバ選択要求は、限定はされないが、モバイルフォン、タブレットコンピュータ、ＰＣ、スマートＴＶ、及び、ソーシャルソフトウェアを実行できる任意の端末デバイスにより送信されてよい。代替として、選択要求をソーシャルソフトウェアによって送信することもできる。
本願の実施の形態２においてソーシャルソフトウェアで実施できる機能は、実施の形態１においてソーシャルソフトウェアで実施できる機能に類似するため、再度の詳述を省く。
本願の実施の形態２では、チャットグループが送信するグループメンバ選択要求は、チャットグループのどのグループメンバが送信してもよい。
【００５６】
ステップ２２：グループメンバ選択要求に応答して、チャットグループから少なくとも１人のグループメンバを所定のルールに従って判定する。
本願の実施の形態では、グループメンバ選択要求に応答して、サーバが、チャットグループのグループメンバ情報を格納しているデータベースから１人のグループメンバを判定することができる。一般に、サーバは、当該グループメンバが属するチャットグループのチャットグループ識別子を、データベースへのクエリの基準として用いることができる。サーバは、クエリの基準として用いられるこのチャットグループ識別子を受信できる。例えば、サーバが受信するグループメンバ選択要求又は別の要求は、チャットグループ識別子を含んでいてよい。
【００５７】
グループメンバ選択要求を開始するようにソーシャルソフトウェアをトリガするグループメンバが現在１つのチャットグループにしか参加していない場合には、サーバは、当該グループメンバの識別子に従って、当該グループメンバが属するチャットグループを直接判定することができるため、チャットグループ識別子を用いずにチャットグループのグループメンバ情報を判定できることは明らかである。
【００５８】
サーバが２つ以上のグループメンバ選択要求を同時に受信し、これらのグループメンバ選択要求が同一のチャットグループ内のグループメンバ達が使用するグループメンバの端末（又はソーシャルソフトウェア）によって送信されたものである場合、サーバは、一方のグループメンバ選択要求に応答し、他方のグループメンバ選択要求を破棄するよう選べることに留意すべきである。代替として、サーバは、まず、一方のグループメンバ選択要求に応答し、他方のグループメンバ選択要求を要求キューに入れることで、グループメンバ選択要求に１つずつ応答することが可能になる。
【００５９】
本願の実施の形態では、サーバにより、所定のルールに従ってチャットグループの少なくとも１人のグループメンバを判定する方式について、本願の実施の形態１で説明した判定方式を参照することができる。そのため、ここでは再度の詳述を省く。
【００６０】
ここで述べる少なくとも１人のグループメンバは、限定はされないが、チャットグループ内のグループメンバ全員、又は、チャットグループの一部のグループメンバを含んでよい。チャットグループの一部のグループメンバは、次のような指定の特性を有するグループメンバ達であってよい。すなわち、判定されたグループメンバ情報に対応するグループメンバ、サーバが判定したグループメンバ情報に対応するグループメンバ以外のチャットグループ内の一部又は全てのグループメンバ達、特定の性別のグループメンバ達、特定の年齢範囲のグループメンバ達、特定の地理的位置にいるグループメンバ達等。
【００６１】
ステップ２３：判定されたグループメンバのグループメンバ情報をチャットグループへ送信して、判定されたグループメンバ、又は、判定されたグループメンバ以外のグループメンバが所定のサービス操作を実行できるようにする。
本願の実施の形態２で提供された先の方法により、グループメンバ判定命令に応答してグループメンバ情報を判定し、これをチャットグループへ送信することにより、グループメンバが、判定されたグループメンバ情報に従って、所定のサービス操作を実行できるようになる。これにより、グループメンバの端末が、判定されたグループメンバの情報をチャットグループのグループメンバ達から取得し、所定のサービス操作を実行できる一方で、チャットグループ内のグループメンバ達はチャットインターフェースに表示させるテキスト情報を編集し、これを送信する必要がない。そのため、サービス操作の実行効率が向上する。
【００６２】
チャットグループ内の少なくとも１人のグループメンバが、判定されたグループメンバ情報に従って所定のサービス操作を容易に実行できるようにするために、グループメンバ選択要求は、所定のサービス操作のサービス識別子を更に含んでよい。したがって、本願のこの実施の形態で提供される方法は以下のステップを更に含んでよい。
【００６３】
チャットグループから送信されたグループメンバ選択要求が受信されると、グループメンバ選択要求に含まれている所定のサービス操作のサービス識別子に従ってインターフェース要素提示命令が生成される。インターフェース要素提示命令がチャットグループへ送信されることで、判定されたグループメンバ、又は、判定されたグループメンバ以外のグループメンバが、インターフェース要素に従って所定のサービス操作を実行できるようになる。インターフェース要素提示命令をチャットグループへ送信することは、インターフェース要素提示命令をチャットグループの少なくとも１人のグループメンバへ送信することを含む。
【００６４】
インターフェース要素提示命令は、命令の受信装置に対応するインターフェース要素を提示させるよう命令するために用いられる。ここで述べているインターフェース要素は、本願の実施の形態１のインターフェース要素と同一であるため、ここでは再度の詳述を省く。
【００６５】
サーバによりインターフェース要素提示命令を生成する特定の方式は以下を含んでよい。即ち、所定のサービス操作のサービス識別子を入手すること、インターフェース要素情報と所定のサービス操作のサービス識別子との間の予め設定されたマッピング関係に従って、入手した所定のサービス操作のサービス識別子にマッピングされたインターフェース要素情報を取得すること、及び、取得したインターフェース要素情報に従ってインターフェース要素提示命令を生成すること。
【００６６】
所定のサービス操作のサービス識別子はグループメンバの端末又はソーシャルソフトウェアから送信されてよい。例えば、所定のサービス操作のサービス識別子をグループメンバ判定命令に含めることができる。代替として、所定のサービス操作のサービス識別子は、サーバにて設定されたデフォルトの所定のサービス操作のサービス識別子であってもよい。
【００６７】
本願の実施の形態２では、サーバは、インターフェース要素提示命令をチャットグループ内の少なくとも１人のグループメンバに次の３つの方式のうちの少なくとも１つの方式で送信できる：
１．インターフェース要素提示命令を、判定されたグループメンバ情報に対応するグループメンバへ送信する。
２．インターフェース要素提示命令を、判定されたグループメンバ情報に対応するグループメンバ以外の、チャットグループ内の一部又は全てのグループメンバへ送信する。
３．インターフェース要素提示命令を、チャットグループ内の指定の特徴を有するグループメンバへ送信する。
ここで述べる指定の特性は、限定はされないが、以下の特徴のうちの少なくとも１つを含んでよい。すなわち、性別、年齢、所在地、嗜好、親密度、及びソーシャル関係のタイプ。
具体的に、親密度は、サーバが判定したグループメンバ情報に対応するグループメンバとの親密度を意味してよい。ソーシャル関係のタイプは、サーバが判定したグループメンバ情報に対応するグループメンバとのソーシャル関係のタイプを意味してよい。
【００６８】
本願のこの実施の形態では、実際の需要に従い、インターフェース要素提示命令が受信装置に提示を命令するインターフェース要素は、テキスト情報、画像、ビデオのうちの少なくとも１つを更に含んでよい。
【００６９】
本願のこの実施の形態で提供される、ソーシャルソフトウェアに操作入力を提示させる先の解決策は、１人のグループメンバにサーバが判定したグループメンバ情報に従って所定のサービス操作を便宜的に実行させる目的を達成することができる。実際の需要に従い、この解決策は、チャットグループのグループメンバ達が「Truth or Dare」、「紅包を送る『幸運な男』を選ぶ」、「電子注文の支払いをする『幸運な男』を選ぶ」のような娯楽アクティビティを便宜的に実施できるようにすることが可能であるため、グループメンバ達の経験を用いてソーシャルソフトウェアが大幅に改善される。
【００７０】
本願の実施の形態２で提供されるこの方法の種々のステップを実行する実体は同一であっても、異なっていてもよい。例えば、ステップ２１乃至ステップ２３を同一のデバイスで実行できる。代替として、ステップ２１、ステップ２２をデバイス１で実行し、ステップ２３をデバイス２で実行する等であってよい。
【００７１】
実施の形態３
現段階では、チャットグループの確立後、チャットグループの１人のグループメンバが特定の操作を完了する必要がある場合、まず、チャットグループからグループメンバ（以後「当該グループメンバ」と呼ぶ）を選択することで、チャットグループ内のグループメンバ達が当該グループメンバのグループメンバ情報を知得できるようになる。ここで述べる特定の操作とは、例えば、電子紅包を発行すること、又は、電子注文の決済操作を実行すること等であってよい。
【００７２】
従来技術によれば、チャットグループ内のグループメンバ達は、当該グループメンバを選択するために、又、チャットグループ内のグループメンバ達が当該グループメンバのグループメンバ情報を取得するために、チャットインターフェースに表示されるテキスト情報を編集し、これを送信する。このようなグループメンバ情報の取得方式は効率が低いことは明らかである。
【００７３】
従来技術の問題を解決するために、本願の実施の形態１は、グループメンバ情報を取得する方法を提供する。この方法は、限定はされないが、ソーシャルソフトウェアを実行できるモバイルフォン、タブレットコンピュータ、ＰＣ、スマートＴＶ、及び任意の端末デバイスのうちの少なくとも１つによって実行されてよい。加えて、この方法はソーシャルソフトウェアによっても実行できる。
【００７４】
以後、説明を容易にするために、ソーシャルソフトウェアにより実行する方法を実施例として、この方法の実施を紹介する。ソーシャルソフトウェアにより実行されるこの方法は単に例示の説明に過ぎず、方法の限定として解釈されるべきではない。本願のこの実施の形態におけるソーシャルソフトウェアは、グループメンバのチャット（テキストチャット、音声チャット、ビデオチャットであってよい）をサポートする機能に加え、いくつかの他の機能を設けることができる。例えば、ソーシャルソフトウェアによりサポートされる機能は、限定はされないが、以下のうちの少なくとも１つであってよい。すなわち、例えば送金、電子紅包の生成、水道料金・電気料金・ガス料金・他の生活設備関係の支払いなどの、グループメンバ達の支払機関（銀行等）の電子アカウントへの操作機能；電子ショッピング機能；ＱＲコード（登録商標）読み取り機能；電子アカウントに従ったＱＲコード（登録商標）の生成機能；株取引条件のクエリ機能；ゲーム機能；ソーシャル情報提示機能（例えば、Ｍｏｍｅｎｔｓにリリースされた情報の提示、又は、ブログ内容の提示）等。
【００７５】
具体的には、実施の形態３に従ってグループメンバ情報を取得する方法の実施のフローチャートの概略は図３に示すとおりであり、この方法は以下の主要なステップを含む。
【００７６】
ステップ３１：グループメンバ選択要求を、チャットグループに対応するサーバへ送信する。ステップ３１の実施は実施の形態１のステップ１１の実施に類似し、ステップ３１で述べる概念はステップ１１で述べる概念と同じである。そのため、ここではステップ３１について再度の詳述を省く。
【００７７】
ステップ３２：グループメンバ選択要求に応答してサーバが所定のルールに従いチャットグループから判定した少なくとも１人のグループメンバのグループメンバ情報を受信する。
グループメンバ選択要求に応答してサーバが所定のルールに従いチャットグループから少なくとも１人のグループメンバのグループメンバ情報を判定する工程の実施は、実施の形態２のステップ２２の実施の工程と類似するため、ここでは再度の詳述を省く。
【００７８】
本願のこの実施の形態で提供される方法により、グループメンバ選択命令がサーバへ送信されさえすれば、グループメンバ情報を選択し、このグループメンバ情報をグループメンバの端末へ送信するようにサーバをトリガすることができる。そのため、グループメンバの端末が、チャットグループ内のグループメンバ達の情報から判定したグループメンバ情報を取得できる一方でチャットグループ内のグループメンバ達は、チャットインターフェースに表示されるテキスト情報を編集し、これを送信する必要がない。これにより、グループメンバ情報を取得する効率が向上する。
【００７９】
加えて、ソーシャルソフトウェアは、サーバから送信されたグループメンバ情報に対応するグループメンバの画像とニックネームを表示することで、チャットグループ内のグループメンバ達は選択されたグループメンバ情報に対応するグループメンバを直感的且つ明確に知得することができる。つまり、本願のこの実施の形態で提供される先の方法は、効率的に、選択されたグループメンバ情報についてグループメンバ達が一様に認識できるようにする。そのため、選択されたグループメンバのグループメンバ情報を確認するために、グループメンバ達がチャットインターフェース内でテキスト情報を編集し、これを発行しなければならない従来技術と比べて、本願のこの実施の形態で提供される解決策は、グループメンバ達が使用するグループメンバ端末のリソースの処理を節約しつつ、グループメンバ達が一様に確認することが可能である。
【００８０】
従来技術のユーザ情報取得方式の効率の低さの問題を解決するために、本願の実施の形態３は、グループメンバ情報を送信する方法を更に提供する。この方法は、限定はされないが、サーバ、又は、この方法を実施できる任意のデバイス（例えば、スマートＴＶ、ルータ、等のうちの少なくとも１つ）によって実行できる。
【００８１】
説明を容易にするために、以後、サーバにより実行する方法を実施例としてこの方法の実施を紹介する。サーバにより実行されるこの方法は単に例示の説明に過ぎず、方法の限定として解釈されるべきではない。
具体的に、この方法の実施の概略的なフローチャートは図４に示すとおりであり、以下のステップを含む。
【００８２】
ステップ４１：グループメンバ選択要求を受信する。
グループメンバ選択要求は、限定はされないが、モバイルフォン、タブレットコンピュータ、ＰＣ、スマートＴＶ、及び、ソーシャルソフトウェアを実行できる任意の端末デバイスのうちの少なくとも１つによって送信することができる。代替として、選択要求はソーシャルソフトウェアにより送信することもできる。
本願の実施の形態３においてソーシャルソフトウェアで実施できる機能は、実施の形態１においてソーシャルソフトウェアで実施できる機能と類似するため、再度の詳述を省く。
【００８３】
ステップ４２：グループメンバ選択要求に応答して、チャットグループのグループメンバ情報を取得する。
チャットグループのグループメンバ情報とは、チャットグループ内のグループメンバ達の情報を意味する。この情報は、限定はされないが、当該グループメンバの識別子であってよく、例えば、当該グループメンバの本名、ニックネーム、ＩＤカード番号、アカウント、又は、チャットグループ内での当該グループメンバの一意の番号等であってよい。代替として、この情報は、当該グループメンバの画像情報、例えば、当該グループメンバがチャットグループ内で使用しているアバタ画像等であってもよい。
【００８４】
本願のこの実施の形態では、グループメンバ選択要求に応答して、サーバは、チャットグループのグループメンバ情報を格納しているデータベースからグループメンバ情報を取得することができる。一般に、サーバは、当該グループメンバが属するチャットグループのチャットグループ識別子を、データベースへのクエリの基準として用いることができる。サーバは、クエリ基準として用いられるチャットグループ識別子を受信できる。例えば、サーバが受信したグループメンバ選択要求又は別の要求は、チャットグループ識別子を含んでいてよい。
【００８５】
グループメンバ選択要求を開始するようにソーシャルソフトウェアをトリガする当該グループメンバが、現在、１つのチャットグループにしか参加してない場合、サーバは、当該グループメンバの識別子に従って、当該グループメンバが属するチャットグループを直接判定することができ、これにより、チャットグループ識別子を用いることなくチャットグループのグループメンバ情報を入手することは明らかである。
【００８６】
サーバが２つ以上のグループメンバ選択要求を同時に受信し、これらのグループメンバ選択要求が、同一のチャットグループ内のグループメンバ達が使用するグループメンバの端末（又はソーシャルソフトウェア）によって送信されたものである場合、サーバは、一方のグループメンバ選択要求に応答し、他方のグループメンバ選択要求を破棄するよう選べることに留意すべきである。代替として、サーバは、まず、一方のグループメンバ選択要求に応答し、他方のグループメンバ選択要求を要求キューに入れることで、グループメンバ選択要求に１つずつ応答することが可能になる。
【００８７】
ステップ４３：取得したグループメンバ情報から、少なくとも１つのグループメンバ情報を選択する。
本願のこの実施の形態では、チャットグループのグループメンバ情報の取得後に、サーバは選択ルールに従ってグループメンバ情報を選択できる。選択ルールは、限定はされないが、以下のうちの少なくとも１つを含んでよい。すなわち、少なくとも１つのグループメンバ情報をランダムに選択すること、チャットグループ内のグループメンバ達のアクティブ度の降順（又は昇順）に従って、少なくとも１つのグループメンバ情報を連続的に選択すること、及び、グループメンバ達がチャットグループに参加する初期から後期の（又は後期から初期の）時間点に従って、少なくとも１つのグループメンバ情報を連続的に選択すること。
【００８８】
ステップ４４：選択したグループメンバ情報を、チャットグループ内の少なくとも１人のグループメンバへ送信する。
ここで述べる少なくとも１人のグループメンバとは、限定はされないが、チャットグループ内のメンバ全員、又は、チャットグループ内の一部のグループメンバを含んでよい。チャットグループ内の一部のグループメンバは、指定の特性を有するグループメンバ達であってよい。これは、例えば、選択したグループメンバ情報に対応するグループメンバ、サーバが取得したチャットグループのグループメンバ情報のうちサーバに選択されなかったグループメンバ情報に対応するグループメンバ達、特定の性別のグループメンバ達、特定の年齢範囲のグループメンバ達、特定の地理的位置にいるグループメンバ達等である。
【００８９】
一の実施において、図４に示す方法は、前記受信したグループメンバ情報に対応する前記グループメンバの画像及び／又はテキスト識別子を前記チャットインターフェースに表示するステップを更に備えてもよい。
【００９０】
一の実施において、グループメンバ選択要求を、チャットグループに対応するサーバへ送信するステップの後で且つ受信したグループメンバ情報に対応するグループメンバの画像及び／又はテキスト識別子をチャットインターフェースに表示するステップの前に、本方法は、グループメンバ選択工程が実行中であることを示すために、特定の情報をチャットインターフェースに交互に表示するステップを更に含んでよい。特定の情報とは、具体的に、グループ内のグループメンバ達、又は、いくつかの特定の画像であってよい。例えば、表情変更工程等のようなものである。具体的には、チャットインターフェースにチャットグループ内のグループメンバの特定の情報を交互に表示するステップを実行してよい。特定の情報は、画像及びテキスト識別子のうちの少なくとも一方を含んでよい。
【００９１】
一の実施において、前記チャットグループの前記チャットインターフェースが前記グループメンバ選択要求トリガボタンを具備する場合、前記チャットグループに対応するサーバへグループメンバ選択要求を送信する前記ステップの後で且つ前記受信したグループメンバ情報に対応する前記グループメンバの画像及び／又はテキスト識別子を前記チャットインターフェースに表示する前記ステップの前に、前記方法は：前記グループメンバ選択要求トリガボタンが所定のアニメーション効果を奏するように、前記グループメンバ選択要求トリガボタンを所定の表示方式で表示するステップを更に備える。
【００９２】
本願の実施の形態２で提供される先の方法により、グループメンバ選択命令に応答して、グループメンバ情報を選択し、これをグループメンバの端末へ送信できる。そのため、グループメンバの端末は、チャットグループ内のグループメンバ達の情報から選択したグループメンバ情報を取得できる一方で、チャットグループ内のグループメンバ達は、チャットインターフェースに表示されるテキスト情報を編集し、これを送信する必要がない。したがって、グループメンバ情報を取得する効率が向上する。
【００９３】
実施の形態４
従来技術におけるサービス操作方式の効率の低さの問題を解決するために、本願の実施の形態４は、チャットグループベースでのサービス操作を実行する装置を提供する。この装置の特定の構造の概略は図５に示すとおりであり、要求送信部５１、グループメンバ情報受信部５２、及びサービス操作部５３を含む。
【００９４】
要求送信部５１は、グループメンバ選択要求を前記チャットグループに対応するサーバへ送信するように構成される。グループメンバ情報受信部５２は、前記グループメンバ選択要求に応答し、所定のルールに従って、前記サーバにより前記チャットグループから判定された少なくとも１人のグループメンバのグループメンバ情報を受信するように構成される。サービス操作部５３は、前記グループメンバ情報に対応する前記グループメンバによる所定のサービス操作の実行に応答するように構成される、又は、前記グループメンバ情報に対応する前記グループメンバ以外のグループメンバによる所定のサービス操作の実行に応答するように構成される。
【００９５】
一の実施において、本願の実施の形態３において提供される前記装置は、提示命令受信部と要素提示部を更に備える。提示命令受信部は、前記サーバにより送信されたインターフェース要素提示命令を受信するように構成され、前記インターフェース要素は所定のサービス操作に対応する。要素提示部は、前記インターフェース要素提示命令に従って、対応するインターフェース要素を提示するように構成される。前記サービス操作部は、具体的に、前記グループメンバ情報に対応する前記グループメンバが前記インターフェース要素に従ってなされる前記所定のサービス操作に応答するように、又は、前記グループメンバ情報に対応する前記グループメンバ以外のグループメンバが前記インターフェース要素に従ってなされる前記所定のサービス操作に応答するように構成される。
【００９６】
一の実施において、この装置は以下を更に含んでよい。すなわち、操作入力への選択命令を受信するように構成された選択命令受信部、及び、選択命令受信部が受信した選択命令に応答して、操作入力に対応する操作を実行するように構成された操作実行部。
当該グループメンバがグループメンバ選択要求をトリガし易くするために、本願のこの実施の形態で提供される装置は、ボタン提示部と要求送信部を更に含んでよい。
ボタン提示部は、前記チャットグループのチャットインターフェースにグループメンバ選択要求トリガボタンを提示するように構成される。それにより、要求送信部５１は、具体的に、前記グループメンバ選択要求トリガボタンへのトリガ命令を受信し、又、前記トリガ命令に応答して、前記チャットグループに対応する前記サーバにグループメンバ選択要求を送信するように構成されてもよい。
【００９７】
一の実施において、グループメンバ情報とは、サーバが、グループメンバ選択要求に応答し、自己が取得したチャットグループのグループメンバ情報からランダムに判定されたグループメンバ情報である。
サーバが判定したグループメンバ情報に対応しているのはどのグループメンバかをグループメンバ達が直感的に知得できるようにするために、一の実施では、本願の実施の形態３で提供される装置は以下を更に含んでよい。グループメンバ情報受信部５２が受信したグループメンバ情報に対応するグループメンバの画像及び／又はテキスト識別子をチャットインターフェースに表示するように構成された画像提示部。
【００９８】
サーバが「チャットグループから１人のユーザを判定している」状態にあることをユーザが直感的に感知できるようにするために、一の実施では、ユーザ画像表示部は更に以下のように構成される。要求送信部５１がチャットグループに対応するサーバにグループメンバ選択要求を送信した後で且つユーザ画像表示部が受信したグループメンバ情報に対応するグループメンバの画像をチャットインターフェースに表示する前に、チャットインターフェースにチャットグループ内のユーザの特定の情報を交互に表示する。特定の情報は、画像及びテキスト識別子のうちの少なくとも一方を含む。
【００９９】
一の実施では、要求送信部５１は、具体的に、チャットグループ識別子を取得し、チャットグループ識別子を含んだグループメンバ選択要求をチャットグループ識別子に従って生成し、グループメンバ選択要求をサーバへ送信するように構成されてよい。したがって、サーバは、チャットグループのグループメンバ情報を、チャットグループ識別子に従って取得できる。
【０１００】
本願のこの実施の形態では、グループメンバ判定命令がサーバへ送信されさえすれば、グループメンバ情報を判定し、グループメンバ情報をグループメンバの端末へ送信するようにサーバをトリガすることができる。そのため、グループメンバの端末は、チャットグループ内のグループメンバ達の情報から判定されたグループメンバ情報を取得し、次に、所定のサービス操作を実行することができる一方で、グループメンバ達はチャットインターフェースに表示するテキスト情報を編集し、これを送信する必要がない。よって、グループメンバ情報を取得する効率が向上する。
【０１０１】
本願の実施の形態４で提供される装置は、当該グループメンバによる所定のサービス操作の実行に応答することの代わりに、グループメンバ情報を取得するためにも使用できる。例えば、この装置は要求送信部５１とグループメンバ情報受信部５２とを含むことができるが、サービス操作部５３を含まない。要求送信部５１とグループメンバ情報受信部５２との機能は上で述べた機能と類似するため、ここでは再度の詳述を省く。この装置が、要求送信部５１とグループメンバ情報受信部５２とを含むものの、サービス操作部５３を含まない場合には、この装置を「チャットグループのグループメンバ情報を取得する装置」と呼ぶことができる。
【０１０２】
本願の実施の形態３で提供されるチャットグループのグループメンバ情報を取得する装置により、グループメンバ判定命令がサーバへ送信されさえすれば、グループメンバ情報を判定し、グループメンバ情報をグループメンバ端末へ送信するようにサーバをトリガすることが可能である。したがって、グループメンバ端末は、チャットグループ内のグループメンバ達の情報から判定されたグループメンバ情報を取得できる一方、チャットグループ内のグループメンバ達はチャットインターフェースに表示されるテキスト情報を編集し、これを送信する必要がない。これにより、グループメンバ情報を取得する効率が向上する。
【０１０３】
実施の形態５
従来技術におけるサービス操作方式の効率の低さの問題を解決するために、本願の実施の形態１は、チャットグループに基づいてサービス操作を実行する装置を提供する。装置の具体的な概略構造図は図６に示すとおりであり、要求受信部６１、グループメンバ判定部６２、及びグループメンバ情報送信部６３を含む。要求受信部６１は、チャットグループから送信されたグループメンバ選択要求を受信するように構成されている。グループメンバ判定部６２は、要求受信部６１が受信したグループメンバ選択要求に応答し、所定のルールに従ってチャットグループから少なくとも１人のグループメンバを判定するように構成されている。グループメンバ情報送信部６３は、判定されたグループメンバ、又は、判定されたグループメンバ以外のグループメンバが所定のサービス操作を実行できるように、判定されたグループメンバのグループメンバ情報をチャットグループへ送信するように構成されている。
【０１０４】
一の実施において、本願の実施の形態５で提供される装置は、提示命令生成部と提示命令送信部とを更に含んでよい。提示命令生成部は、インターフェース要素提示命令を生成するように構成されている。提示命令送信部は、提示命令生成部が生成したインターフェース要素提示命令を、チャットグループ内の少なくとも１人のグループメンバへ送信するように構成されている。
【０１０５】
一の実施において、提示命令送信部は次のように構成されてよい。すなわち、インターフェース要素提示命令を判定したグループメンバ情報に対応するグループメンバへ送信する、又は、インターフェース要素提示命令を、判定したグループメンバ情報に対応するグループメンバ以外の、チャットグループ内のグループメンバの一部又は全員へ送信する。代替として、インターフェース要素提示命令をチャットグループ内の指定の特性を有するグループメンバへ送信する。
【０１０６】
一の実施において、提示命令生成部は、具体的に、次のように構成されてよい。すなわち、所定のサービス操作のサービス識別子を入手する。入手した所定のサービス操作のサービス識別子にインターフェース要素情報と所定のサービス操作のサービス識別子との間の予め設定されたマッピング関係に従ってマッピングされたインターフェース要素情報を取得する。取得したインターフェース要素情報に従って、インターフェース要素提示命令を生成する。
【０１０７】
本願の実施の形態５で提供される先の装置は、グループメンバ判定命令に応答することで、グループメンバ情報を判定し、グループメンバ情報をグループメンバへ送信でき、これにより、判定されたグループメンバ、又は、判定されたグループメンバ以外の１人のグループメンバが所定のサービス操作を実行できるようになる。これにより、当該グループメンバが所定のサービス操作を実行できる一方で、チャットグループ内のグループメンバ達はチャットインターフェースに表示するテキスト情報を編集し、これを送信する必要がない。したがって、サービス操作の効率が向上する。
【０１０８】
実施の形態６
従来技術におけるグループメンバ情報取得方式の効率の低さの問題を解決するために、本願の実施の形態６は、グループメンバ情報を送信する装置を提供する。装置の特定の構造は図７に示すとおりであり、要求受信部７１、グループメンバ情報取得部７２、グループメンバ情報選択部７３、及びグループメンバ情報送信部７４を含む。
【０１０９】
要求受信部７１は、グループメンバ選択要求を受信するように構成されている。
グループメンバ情報取得部７２は、前記要求受信部７１により受信された前記グループメンバ選択要求に応答して、チャットグループのグループメンバ情報を取得するように構成される。
グループメンバ情報選択部７３は、前記グループメンバ情報取得部７２により取得された前記グループメンバ情報から少なくとも１つのグループメンバ情報を選択するように構成される。
グループメンバ情報送信部７４は、前記グループメンバ情報選択部７３により選択された前記グループメンバ情報を、前記チャットグループ内の少なくとも１人のグループメンバによって使用されるグループメンバ端末へ送信するように構成される。
【０１１０】
一の実施において、本願の実施の形態７で提供される装置は、提示命令生成部と提示命令送信部とを更に含んでよい。提示命令生成部は、グループメンバ情報選択部７３が少なくとも１つのグループメンバ情報を選択した後に、インターフェース要素提示命令を生成するように構成されている。提示命令送信部は、提示命令生成部が生成したインターフェース要素提示命令を、チャットグループ内の少なくとも１人のグループメンバが使用するグループメンバの端末へ送信するように構成されている。
インターフェース要素提示命令は、対応するインターフェース要素を提示するように受信装置に命令するために用いられる。
【０１１１】
一の実施において、提示命令送信部は次のように構成されてよい。すなわち、インターフェース要素提示命令を、選択されたグループメンバ情報に対応するグループメンバへ送信する、又は、インターフェース要素提示命令を、選択されなかったグループメンバ情報に対応するグループメンバの一部又は全員へ送信する。代替として、インターフェース要素提示命令を、チャットグループ内の指定の特性を有するグループメンバへ送信する。
選択されなかったグループメンバ情報とは、チャットグループのグループメンバ情報から選択されなかったグループメンバ情報のことである。
指定の特性は以下の特性のうちの少なくとも１つを含む。すなわち、性別、年齢、所在地、嗜好、親密度、及びソーシャル関係のタイプ。
【０１１２】
一の実施において、提示命令生成部は、具体的に、次のように構成されてよい。即ち、識別子を入手し、入手したサービス識別子にインターフェース要素情報とサービス識別子との間の予め設定されたマッピング関係に従ってマッピングされたインターフェース要素情報を取得し、取得したインターフェース要素情報に従ってインターフェース要素提示命令を生成する。
【０１１３】
一の実施において、インターフェース要素は、限定はされないが、次のうちの少なくとも１つであってよい。すなわち、操作入力、テキスト情報、画像、ビデオ、及びテキスト入力フィールド。
【０１１４】
一の実施において、操作入力は、限定はされないが、以下の操作入力のうちの少なくとも１つであってよい。すなわち、電子注文の決済操作入力、及び電子紅包の生成操作入力。
【０１１５】
一の実施において、グループメンバ情報選択部７３は、取得したグループメンバ情報から少なくとも１つのグループメンバ情報をランダムに選択するように構成されてよい。
【０１１６】
一の実施において、グループメンバ選択要求はチャットグループ識別子を含んでよい。この場合、グループメンバ情報取得部７２は、具体的に、グループメンバ選択要求からチャットグループ識別子を取得し、チャットグループ識別子に対応するチャットグループのグループメンバ情報を取得するように構成されてよい。
【０１１７】
本願の実施の形態２で提供された先の方法の手段により、グループメンバ選択命令に応答して、グループメンバ情報を選択し、これをグループメンバの端末へ送信することができる。そのため、グループメンバの端末が、チャットグループのグループメンバ達の情報から選択されたグループメンバ情報を取得できる一方で、チャットグループ内のグループメンバ達は、チャットインターフェースに表示するテキスト情報を編集し、これを送信する必要がない。これにより、グループメンバ情報を取得する効率が向上する。
【０１１８】
加えて、本願の実施の形態で提供された先の操作入力提示解決策は、グループメンバが、サーバが選択したグループメンバ情報に従って特定の操作を実行することを便宜的に可能にする目的を達成できる。実際の需要に従うと、この解決策により、チャットグループ内のグループメンバ達が「Truth or Dare」、「紅包を送る『幸運な男』を選ぶ」、「電子注文の支払いをする『幸運な男』を選ぶ」のような娯楽アクティビティを便宜的に実施できるようになるため、グループメンバ達の経験を用いてソーシャルソフトウェアを大幅に改善することができる。
【０１１９】
当業者は、本発明の実施の形態が、方法、システム、又はコンピュータプログラム製品として提供され得ることを理解すべきである。したがって、本発明は、完全なハードウェアの実施の形態の形態、完全なソフトウェアの実施の形態、又はソフトウェアとハードウェアの態様を組み合わせた実施の形態を採用することができる。更に、本発明は、コンピュータで使用可能なプログラムコードを含む、１つ以上のコンピュータで使用可能な記憶媒体（磁気ディスクメモリ、ＣＤ−ＲＯＭ、光学メモリなどを含むが、これに限定されない）上に実装されたコンピュータプログラム製品の形態を採用してもよい。
【０１２０】
上記は、本願の実施の形態に過ぎず、本願を限定するものではない。当業者であれば、本願は様々な変更及び変更を有することができる。本願の精神及び原理から逸脱することなくなされた任意の修正、均等物との置換及び改良は、本願の特許請求の範囲に含まれるべきである。
［第１の局面］
チャットグループに基づいてサービス操作を実行する方法であって、前記チャットグループは少なくとも２人のグループメンバを含み、前記方法は：
グループメンバ選択要求を、前記チャットグループに対応するサーバへ送信するステップと；
前記グループメンバ選択要求に応答して、所定のルールに従って前記サーバにより前記チャットグループから判定された少なくとも１人のグループメンバのグループメンバ情報を受信するステップと；
前記グループメンバ情報に対応する前記グループメンバによる所定のサービス操作の実行に応答するステップ、又は、前記グループメンバ情報に対応する前記グループメンバ以外のグループメンバによる前記所定のサービス操作の実行に応答するステップと；を備える、
チャットグループに基づいてサービス操作を実行する方法。
［第２の局面］
グループメンバ選択要求を前記チャットグループに対応するサーバへ送信する前記ステップの後に、前記方法は：
前記サーバによって送信されるインターフェース要素提示命令を受信するステップであって、前記インターフェース要素は前記所定のサービス操作に対応する、受信するステップと；
前記インターフェース要素提示命令に従って、前記対応するインターフェース要素を提示するステップと；を更に備え、
前記グループメンバ情報に対応する前記グループメンバによる所定のサービス操作の実行に応答する前記ステップは、具体的に、前記インターフェース要素に従い、前記グループメンバ情報に対応する前記グループメンバによる前記所定のサービス操作の実行に応答するステップ；を備える、又は、
前記グループメンバ情報に対応する前記グループメンバ以外のグループメンバによる前記所定のサービス操作の実行に応答する前記ステップは、具体的に、前記インターフェース要素に従い、前記グループメンバ情報に対応する前記グループメンバ以外のグループメンバによる前記所定のサービス操作の実行に応答するステップ；を備える、
第１の局面に記載の方法。
［第３の局面］
前記グループメンバ選択要求は、前記所定のサービス操作のサービス識別子を備え、
前記インターフェース要素は、前記サービス識別子に対応しており、前記サーバにより前記サービス識別子に従って判定されたサービス操作のインターフェース要素である、
第２の局面に記載の方法。
［第４の局面］
前記インターフェース要素は、前記所定のサービス操作の操作入力であり、
前記グループメンバ情報に対応する前記グループメンバによる前記インターフェース要素に従う前記所定のサービス操作の実行に応答する前記ステップは、具体的に：
前記グループメンバ情報に対応する前記グループメンバからの前記操作入力に対する選択命令を受信するステップと；
前記選択命令に応答して、前記操作入力に対応する操作を実行するステップと；を備える、
第３の局面に記載の方法。
［第５の局面］
前記チャットグループのチャットインターフェースがグループメンバ選択要求トリガボタンを具備し、
前記チャットグループに対応するサーバにグループメンバ選択要求を送信する前記ステップは、具体的に：
前記グループメンバ選択要求トリガボタンへのトリガ命令を受信するステップと；
前記トリガ命令に応答して、前記チャットグループに対応する前記サーバへ前記グループメンバ選択要求を送信するステップと；を備える、
第１の局面に記載の方法。
［第６の局面］
前記グループメンバ選択要求に応答して、所定のルールに従って前記サーバにより前記チャットグループから少なくとも１人のグループメンバのグループメンバを判定する前記ステップは、具体的に：
前記グループメンバ選択要求に応答して、前記チャットグループから少なくとも１人のグループメンバを、前記サーバによりランダムに判定するステップを備える、
第１の局面乃至第５の局面のいずれか１項に記載の方法。
［第７の局面］
前記受信したグループメンバ情報に対応する前記グループメンバの画像及び／又はテキスト識別子を前記チャットインターフェースに表示するステップを更に備える、
第１の局面乃至第５の局面のいずれか１項に記載の方法。
［第８の局面］
前記チャットグループに対応するサーバへグループメンバ選択要求を送信する前記ステップの後で且つ前記受信したグループメンバ情報に対応する前記グループメンバの画像及び／又はテキスト識別子を前記チャットインターフェースに表示する前記ステップの前に、前記方法は：
前記チャットグループ内の前記グループメンバの特定の情報を前記チャットインターフェースに交互に表示するステップを更に備え、
前記特定の情報は、画像とテキスト識別子のうちの少なくとも一方を含む、
第７の局面に記載の方法。
［第９の局面］
前記チャットグループの前記チャットインターフェースは前記グループメンバ選択要求トリガボタンを具備し、
前記チャットグループに対応するサーバへグループメンバ選択要求を送信する前記ステップの後で且つ前記受信したグループメンバ情報に対応する前記グループメンバの画像及び／又はテキスト識別子を前記チャットインターフェースに表示する前記ステップの前に、前記方法は：
前記グループメンバ選択要求トリガボタンが所定のアニメーション効果を奏するように、前記グループメンバ選択要求トリガボタンを所定の表示方式で表示するステップを更に備える、
第７の局面に記載の方法。
［第１０の局面］
チャットグループに基づいてサービス操作を実行する方法であって、前記チャットグループは少なくとも２人のグループメンバを含み、前記方法は：
前記チャットグループにより送信されたグループメンバ選択要求を受信するステップと；
前記グループメンバ選択要求に応答し、所定のルールに従って前記チャットグループから少なくとも１人のグループメンバを判定するステップと；
前記判定されたグループメンバ、又は、前記判定されたグループメンバ以外のグループメンバが所定のサービス操作を実行できるようにするために、前記判定されたグループメンバのグループメンバ情報を前記チャットグループへ送信するステップと；を備える、
チャットグループに基づいてサービス操作を実行する方法。
［第１１の局面］
前記グループメンバ選択要求は、前記所定のサービス操作のサービス識別子を含み、前記方法は：
前記チャットグループにより送信され前記グループメンバ選択要求を受信した後に、前記グループメンバ選択要求内に含まれた前記所定のサービス操作の前記サービス識別子に従ってインターフェース要素提示命令を生成するステップと；
前記判定されたグループメンバ、又は、前記判定されたグループメンバ以外のグループメンバが、前記インターフェース要素に従って前記所定のサービス操作を実行できるようにするために、前記インターフェース要素提示命令を前記チャットグループへ送信するステップと；を更に備える、
第１０の局面に記載の方法。
［第１２の局面］
前記グループメンバ選択要求に応答し、所定のルールに従って、前記チャットグループから少なくとも１人のグループメンバを判定する前記ステップは、具体的に：
前記グループメンバ選択要求に応答し、前記チャットグループから少なくとも１人のグループメンバをランダムに判定するステップを備える、
第１０の局面に記載の方法。
［第１３の局面］
少なくとも２人グループメンバを含むチャットグループのグループメンバ情報を取得する方法であって：
グループメンバ選択要求を前記チャットグループに対応するサーバへ送信するステップと；
前記グループメンバ選択要求に応答し、所定のルールに従って前記チャットグループから前記サーバにより判定された少なくとも１人のグループメンバのグループメンバ情報を受信するステップと；を備える、
チャットグループのグループメンバ情報を取得する方法。
［第１４の局面］
前記チャットグループのチャットインターフェースがグループメンバ選択要求トリガボタンを具備し、
前記グループメンバ選択要求を前記チャットグループに対応するサーバへ送信する前記ステップは、具体的に：
前記グループメンバ選択要求トリガボタンへのトリガ命令を受信するステップと；
前記トリガ命令に応答し、前記グループメンバ選択要求を前記チャットグループに対応する前記サーバへ送信するステップと；を備える、
第１３の局面に記載の方法。
［第１５の局面］
前記グループメンバ選択要求に応答し、所定のルールに従って前記チャットグループから少なくとも１人のグループメンバを前記サーバにより判定する前記ステップは、具体的に：
前記グループメンバ選択要求に応答し、前記サーバにより前記チャットグループから少なくとも１人のグループメンバをランダムに判定するステップを備える、
第１３の局面又は第１４の局面のうちいずれか１項に記載の方法。
［第１６の局面］
前記チャットインターフェースに、前記受信したグループメンバ情報に対応する前記グループメンバの画像及び／又はテキスト識別子を表示するステップを更に備える、
第１５の局面に記載の方法。
［第１７の局面］
グループメンバ選択要求を前記チャットグループに対応するサーバへ送信する前記ステップの後で且つ前記受信したグループメンバ情報に対応する前記グループメンバの画像及び／又はテキスト識別子を前記チャットインターフェースに表示する前記ステップの前に、前記方法は：
前記チャットグループ内の前記グループメンバの特定の情報を前記チャットインターフェースに交互に表示するステップを更に備え、
前記特定の情報は画像とテキスト識別子のうちの少なくとも一方を含む、
第１６の局面に記載の方法。
［第１８の局面］
前記チャットグループの前記チャットインターフェースが前記グループメンバ選択要求トリガボタンを具備する場合、前記チャットグループに対応するサーバに前記グループメンバ選択要求を送信する前記ステップの後で且つ前記受信したグループメンバ情報に対応する前記グループメンバの画像及び／又はテキスト識別子を前記チャットインターフェースに表示する前記ステップの前に、前記方法は：
前記グループメンバ選択要求トリガボタンが所定のアニメーション効果を奏するようにするために、前記グループメンバ選択要求トリガボタンを所定の表示方式で表示するステップを更に備える、
第１６の局面に記載の方法。
［第１９の局面］
グループメンバ情報を送信する方法であって：
グループメンバ選択要求を受信するステップと；
前記グループメンバ選択要求に応答して、チャットグループのグループメンバ情報を取得するステップと；
前記取得したグループメンバ情報から少なくとも１つのグループメンバ情報を選択するステップと；
前記選択したグループメンバ情報を前記チャットグループ内の少なくとも１人のグループメンバへ送信するステップと；を備える、
グループメンバ情報を送信する方法。
［第２０の局面］
少なくとも２人のグループメンバを含むチャットグループに基づいてサービス操作を実行する装置であって、前記装置は：
グループメンバ選択要求を前記チャットグループに対応するサーバへ送信するように構成された要求送信部と；
前記グループメンバ選択要求に応答し、所定のルールに従って、前記サーバにより前記チャットグループから判定された少なくとも１人のグループメンバのグループメンバ情報を受信するように構成されたグループメンバ情報受信部と；
前記グループメンバ情報に対応する前記グループメンバによる所定のサービス操作の実行に応答するように構成された、又は、前記グループメンバ情報に対応する前記グループメンバ以外のグループメンバによる所定のサービス操作の実行に応答するように構成されたサービス操作部と；を備える、
チャットグループに基づいてサービス操作を実行する装置。
［第２１の局面］
前記装置は：
前記サーバにより送信されたインターフェース要素提示命令を受信するように構成された提示命令受信部であって、前記インターフェース要素は所定のサービス操作に対応する、提示命令受信部と；
前記インターフェース要素提示命令に従って、対応するインターフェース要素を提示するように構成された要素提示部と；を更に備え、
前記サービス操作部は、前記グループメンバ情報に対応する前記グループメンバが前記インターフェース要素に従ってなされる前記所定のサービス操作に応答するように、又は、前記グループメンバ情報に対応する前記グループメンバ以外のグループメンバが前記インターフェース要素に従ってなされる前記所定のサービス操作に応答するように構成された、
第２０の局面に記載の装置。
［第２２の局面］
前記装置は：
前記チャットグループのチャットインターフェースにグループメンバ選択要求トリガボタンを提示するように構成されたボタン提示部を更に備え；
前記要求送信部は、具体的に、前記グループメンバ選択要求トリガボタンへのトリガ命令を受信し、又、前記トリガ命令に応答して、前記チャットグループに対応する前記サーバにグループメンバ選択要求を送信するように構成された、
第２１の局面に記載の装置。
［第２３の局面］
前記受信したグループメンバ情報に対応する前記グループメンバの画像及び／又はテキスト識別子をチャットインターフェースに表示するように構成されたグループメンバ画像表示部を更に備える、
第２０の局面乃至第２２の局面のいずれか１項に記載の装置。
［第２４の局面］
前記グループメンバ画像表示部は：
前記要求送信部がグループメンバ選択要求を、前記チャットグループに対応する前記サーバへ送信した後で且つ前記グループメンバ画像表示部が、前記受信したグループメンバ情報に対応する前記グループメンバの画像及び／又はテキスト識別子を前記チャットインターフェースに表示する前に、前記チャットインターフェースに、前記チャットグループ内の前記グループメンバの特定の情報を交互に表示するように構成され、
前記特定の情報は、画像及びテキスト識別子のうちの少なくとも一方を含む、
第２３の局面に記載の装置。
［第２５の局面］
前記チャットグループの前記チャットインターフェースが前記グループメンバ選択要求トリガボタンを具備する場合、前記グループメンバ画像表示部は：
前記要求送信部が、グループメンバ選択要求を前記チャットグループに対応する前記サーバへ送信した後で且つ前記グループメンバ画像表示部が、前記受信したグループメンバ情報に対応する前記グループメンバの前記画像及び／又はテキスト識別子を前記チャットインターフェースに表示する前に、前記グループメンバ選択要求トリガボタンが所定のアニメーション効果を奏するようにするために、前記グループメンバ選択要求トリガボタンを所定の表示方式にて表示するように更に構成された、
第２３の局面に記載の装置。
［第２６の局面］
少なくとも２人のグループメンバを含むチャットグループに基づいてサービス操作を実行する装置であって、前記装置は：
前記チャットグループにより送信されたグループメンバ選択要求を受信するように構成された要求受信部と；
前記グループメンバ選択要求に応答し、所定のルールに従って、前記チャットグループから少なくとも１人のグループメンバを判定するように構成されたグループメンバ判定部と；
前記判定されたグループメンバ、又は、前記判定されたグループメンバ以外のグループメンバが所定のサービス操作を実行できるようにするために、前記判定されたグループメンバのグループメンバ情報を前記チャットグループへ送信するように構成されたグループメンバ情報送信部と；を備える、
チャットグループベースでのサービス操作を実行する装置。
［第２７の局面］
少なくとも２人のグループメンバを含むチャットグループのグループメンバ情報を取得する装置であって、前記装置は：
グループメンバ選択要求を、前記チャットグループに対応するサーバへ送信するように構成された要求送信部と；
前記グループメンバ選択要求に応答し、所定のルールに従って、前記サーバにより前記チャットグループから判定された少なくとも１人のグループメンバのグループメンバ情報を受信するように構成されたグループメンバ情報受信部と；を備える、
チャットグループのグループメンバ情報を取得する装置。
［第２８の局面］
グループメンバ情報を送信する装置であって：
グループメンバ選択要求を受信するように構成された要求受信部と；
前記要求受信部により受信された前記グループメンバ選択要求に応答して、チャットグループのグループメンバ情報を取得するように構成されたグループメンバ情報取得部と；
前記グループメンバ情報取得部により取得された前記グループメンバ情報から少なくとも１つのグループメンバ情報を選択するように構成されたグループメンバ情報選択部と；
前記グループメンバ情報選択部により選択された前記グループメンバ情報を、前記チャットグループ内の少なくとも１人のグループメンバへ送信するように構成されたグループメンバ情報送信部と；を備える、
グループメンバ情報を送信する装置。
【図１ａ】
0006756815.tif 000002
【図１ｂ】
0006756815.tif 000003
【図１ｃ】
0006756815.tif 000004
【図１ｄ】
0006756815.tif 000005
【図２】
0006756815.tif 000006
【図３】
0006756815.tif 000007
【図４】
0006756815.tif 000008
【図５】
0006756815.tif 000009
【図６】
0006756815.tif 000010
【図７】
0006756815.tif 000011